(57)【要約】      （修正有）【課題】連絡事項有無の表示をワンタッチで簡単に切り替え可能で、且つ、外観からも容易に目視出来、且つ、安価で丈夫で使い易い連絡事項表示札付収納袋を提供する。【解決手段】主に袋本体１と、袋本体の一端に設けて、連絡事項の有無を一目で判別可能にする反転式表示札２から成り、且つ、該反転式表示札は、注意を喚起する為に、表裏両面をそれぞれ明暗の異色にし、且つ、表面側には連絡事項表示を設け、且つ、使用する時は、連絡事項の有無に応じて、反転式表示札を表裏差し替えて使用するものである。又、反転式表示札は、連絡事項有り時の目視確認が表面側のみならす、側面側からでも目視可能にして設けたものである。【選択図】図２
0003129607.tif 000002
【実用新案登録請求の範囲】
【請求項１】
幼稚園・保育園等の園児や、小学校に通う児童等が家庭との間を通園・通学する際に、連絡用として使用する収納袋であって、該収納袋は、主に袋本体（１）と、袋本体の一端に設けて、連絡事項の有無を一目で判別可能にする反転式表示札（２）から成り、且つ、該反転式表示札（２）は、注意を喚起する為に、表裏両面をそれぞれ明暗の異色にし、且つ、表面側には連絡事項表示（２ａ）を設け、且つ、使用する時は、連絡事項の有無に応じて、反転式表示札（２）を表裏反転して使用する事を特徴とする連絡事項表示札付収納袋。
【請求項２】
反転式表示札（２）は、連絡事項有り時の目視確認が表面側のみならす、側面側からでも目視可能にして設けた事を特徴とする請求項１記載の連絡事項表示札付収納袋。
【考案の詳細な説明】
【技術分野】
【０００１】
この考案は、連絡事項表示札付収納袋に関するものである。
【背景技術】
【０００２】
従来、園児や児童は、幼稚園・保育園や小学校から様々な行事やスケジュール等に関する諸連絡事項を袋に入れて持って帰るが、これまでに通常使用していた収納袋は、袋の中を開けて見ないと連絡の有無が判らないという欠点があり、重要な連絡をついつい見逃してしまい、即刻伝わらないという事が多々あった。
【０００３】
又、大事な給食費や学費等を幼稚園・保育園や小学校に持参する際、紛失してしまい、お互いに気まずい思いをする事もたまにある。
【０００４】
上記の問題を解決する為、幼稚園や学校側から親宛の連絡事項、又、逆に園児や児童の親から幼稚園や学校の先生宛の連絡事項が、一目で判別可能な連絡事項表示札付収納袋の開発が要求されている。
【０００５】
これまでに出願されている収納袋の特許文献を参考の為、紹介する。（特許文献１〜２参照。）
【特許文献１】特開２００６−２０６１０６
【特許文献２】登録実用新案第３１２１４２２号
【考案の開示】
【考案が解決しようとする課題】
【０００６】
そこで、上記課題を解決する為に、この考案は連絡事項有無の表示をワンタッチで簡単に切り替え可能で、且つ、外観からも容易に目視出来、且つ、安価で丈夫で使い易い連絡事項表示札付収納袋を開発・提供する事にある。
【課題を解決するための手段】
【０００７】
この課題を解決する為の手段として、主に袋本体と、袋本体の一端に設けて、連絡事項の有無を一目で判別可能にする反転式表示札から成り、且つ、該反転式表示札は、注意を喚起する為に、表裏両面をそれぞれ明暗の異色にし、且つ、表面側には連絡事項表示を設け、且つ、使用する時は、連絡事項の有無に応じて、反転式表示札を表裏反転して使用するものであり、又、反転式表示札は、連絡事項有り時の目視確認が表面側のみならす、側面側からでも目視可能にして設けたものである。
【考案の効果】
【０００８】
この考案の効果として、袋本体と、袋本体の一端に設けて、連絡事項の有無を一目で判別可能にする反転式表示札から成り、且つ、該反転式表示札は、注意を喚起する為に、表裏両面をそれぞれ明暗の異色にし、且つ、表面側には連絡事項表示を設け、且つ、使用する時は、連絡事項の有無に応じて、反転式表示札を表裏反転して使用するものであり、又、反転式表示札は、連絡事項有り時の目視確認が表面側のみならす、側面側からでも目視可能にして設けた事で、連絡事項有無の表示をワンタッチで簡単に切り替え可能で、且つ、外観からも容易に目視出来、且つ、安価で丈夫で使い易い等、極めて有益なる効果を奏するものである。
【考案を実施するための最良の形態】
【０００９】
この考案の最良の形態として、連絡事項表示札の表側は、注意を喚起する明るい色を用い、且つ、高齢者でも見え易い大きめの文字で表示し、且つ、固定方法は誰もが容易に着脱可能なベルト方式にする事が望ましい。
【実施例１】
【００１０】
そこで、この考案の一実施例を図１〜図２に基づいて詳述すると、幼稚園・保育園等の園児や、小学校に通う児童等が家庭との間を通園・通学する際に、連絡用として使用する収納袋であって、該収納袋は、主に袋本体（１）と、袋本体の一端に設けて、連絡事項の有無を一目で判別可能にする反転式表示札（２）から成り、且つ、該反転式表示札（２）は、注意を喚起する為に、表裏両面をそれぞれ明暗の異色にし、且つ、表面側には連絡事項表示（２ａ）を設け、且つ、使用する時は、連絡事項の有無に応じて、反転式表示札（２）を表裏反転して使用する事を特徴とする連絡事項表示札付収納袋から構成される。
【００１１】
又、反転式表示札（２）は、連絡事項有り時の目視確認が表面側のみならす、側面側からでも目視可能にして設けた事を特徴とする連絡事項表示札付収納袋から構成される。
【００１２】
次に、この考案の詳細について説明すると、図１・図２に示す様に、まず、袋本体（１）は材質が透明ターポリン製で、ファスナー無しポケット（１ｄ）とファスナー付ポケット（１ｃ）が二重に設けられ、且つ、上端部には、収納物の飛び出し防止用の開閉蓋（１’）を設け、且つ、袋本体（１）の開閉蓋（１’）中央裏面部には面ファスナー等の係止部材（１ａ）、（１ｂ）（１ｂ）をそれぞれ縫着し、且つ、縁接合部には布製の補強部材を縫着し、且つ、該袋本体の一端には連絡事項の有無が一目で判別可能な表裏係止部材（３）（３’）付反転式表示札（２）を設け、且つ、該反転式表示札（２）は材質が透明のＰＶＣ製で袋状に形成され、中には注意を喚起する為に、表裏明暗の黄色と青色の色紙をそれぞれ挿着し、且つ、表面側の黄色の色紙には連絡事項有りの連絡事項表示（２ａ）を表示して設け、且つ、該袋本体（１）のやや左下部には学年・組・氏名等を記入し、グループ分けのマーク等を収納する為の、透明ＰＶＣ製の名札（４ａ）付ポケット（４）を縫着して設けたものである。
【００１３】
上記、収納袋の反転式表示札（２）の使用方法について説明すると、図３（Ａ）に示す様に、例えば、学校の先生から児童の親宛に、又、反対に児童の親から学校の先生宛に連絡事項が有る場合は、反転式表示札（２）を表側の黄色の表示にして係止部材（３）に差し込んで固着する。又、反転式表示札（２）は、挿着状態時に黄色の部分が側面からでも確認可能に形成されている為、カバン等に教科書等と一緒に挟んで収納していても、横から連絡事項の有無が確認出来る様に成っている。又、反対に図３（Ｂ）に示す様に、連絡事項が無い場合は、特に緊急を要しない為、反転式表示札（２）を裏側の目立たない青色の表示に反転して係止部材（３’）に差し込んで固着する。
【００１４】
又、上記開閉蓋（１’）の係止部は、収納袋本体（１）側が上下方向に長めに形成されている為、収納物の収納量に応じて調整可能に成っている。
【００１５】
又、貴重品や給食費や学費等は、ファスナー付ポケット（１ｃ）に入れておけば、紛失する恐れがほぼ解消出来る。
【産業上の利用可能性】
【００１６】
この考案の連絡事項表示札付収納袋は、連絡事項有無の表示をワンタッチで簡単に切り替え可能で、且つ、外観からも容易に目視出来、且つ、安価で丈夫で使い易い為、多くの幼稚園・保育園・小学校等の教育関係市場に寄与する点で産業上の利用可能性を有する。
【図面の簡単な説明】
【００１７】
【図１】この考案の一実施例を示し、（Ａ）は連絡事項表示札付収納袋の開閉蓋を閉じた時の正面図で、（Ｂ）は背面図である。
【図２】この考案の一実施例を示し、連絡事項表示札付収納袋の開閉蓋を開いた時の正面図である。
【図３】この考案の使用例を示し、（Ａ）は連絡事項有りの場合の斜視図で、（Ｂ）は連絡事項無しの場合の斜視図である。
【符号の説明】
【００１８】
１  袋本体
１’  開閉蓋
１ａ  係止部材
１ｂ  係止部材
１ｃ  ファスナー付ポケット
１ｄ  ファスナー無しポケット
２  反転式表示札
２ａ  連絡事項表示札
３  係止部材
３’  係止部材
４  ポケット
４ａ  名札
【図１】
0003129607.tif 000003
【図２】
0003129607.tif 000004
【図３】
0003129607.tif 000005